(57)【特許請求の範囲】
【請求項１】
鋼鉄製の本体（１０）と、前記本体（１０）に取り付けられるロック機構を有するヒンジ付き鋼鉄製のドア（６０）と、床面（３０）と、から成る自動現金受け払い機用のコンテナ金庫であって、
前記床面（３０）は、前記本体（１０）の内壁側に設けられた装着手段（２２、２４、２６）に対して本体の内部側からのみアクセス可能な固定手段（２３）により取り外し可能に取り付けられ、
前記床面（３０）に替わって前記本体（１０）の前記装着手段（２２、２４、２６）に取り付け可能な鋼鉄製の拡張部（４０）を有し、
前記拡張部（４０）が取り付けられた際には、前記ドア（６０）の下縁部に前記拡張部（４０）を覆うドア延長部（７０）が当該ドアの内側からアクセス可能な固定手段により取り付けられることにより、前記拡張部（４０）内に追加の現金収納カセット（１０２）を収納可能とするコンテナ金庫。
【請求項２】
前記装着手段（２２、２４、２６）は、前記本体（１０）の内壁（１２、１４、１６）に溶接により固定された固定バーであって、前記固定手段（２３）を受け入れる孔（２８）を有している請求項１に記載のコンテナ金庫。
【発明の詳細な説明】
【０００１】
【発明の属する技術分野】
本発明は、現金の払い出しおよび／または預け入れを行う自動金銭受け払い機（ＡＴＭ）用の金庫のような安全コンテナ、または従来の金庫に関する。
【０００２】
【従来の技術、及び、発明が解決しようとする課題】
ＡＴＭが銀行のような金融機関により設置されると、当然必要とするレベルのサービスを行う能力があると思われる最小サイズのＡＴＭが使用されることになる。多くの場合、このようなＡＴＭは、現金の払い出しを行うための一つの現金収納カセットを備えたＡＴＭである。ＡＴＭは、それぞれ、必要最小限度の大きさの安全コンテナ、または金庫を内蔵している。
【０００３】
設置後、金融機関は、顧客の要求が予想したより金額より大きく、使用される頻度が通常以上に頻繁でなくても、現金の引き出し要求を満たすには、二つまたはそれ以上の現金収納カセットが必要であることに気がついたり、現金を預け入れたり、引き出したりするような異なる種類の要求に対応しきれないことに気がつく。
【０００４】
上記金融機関が追加のカセットを設置したい場合には、現在できることといったらＡＴＭ全体を交換すること以外にない。何故なら、現在設置してある安全コンテナは、第二または第三のカセットを収容できるほど十分余裕のあるものではないからである。それ故、現在のＡＴＭを改善することは不可能である。
【０００５】
ＡＴＭの金庫は、従来の金庫、すなわち、ヒンジ付きのドアを持つ溶接された鋼鉄のコンテナに類似の構造のものである。
【０００６】
本発明の一つの目的は、最低の手間で容積を増大することができる安全コンテナを提供することである。
【０００７】
【課題を解決するための手段】
このため、本発明は、鋼鉄製の本体と、前記本体に取り付けられるロック機構を有するヒンジ付き鋼鉄製のドアと、床面と、から成る自動現金受け払い機用のコンテナ金庫であって、前記床面は、前記本体の内壁側に設けられた装着手段に対して本体の内部側からのみアクセス可能な固定手段により取り外し可能に取り付けられ、前記床面に替わって前記本体の前記装着手段に取り付け可能な鋼鉄製の拡張部を有し、前記拡張部が取り付けられた際には、前記ドアの下縁部に前記拡張部を覆うドア延長部が当該ドアの内側からアクセス可能な固定手段により取り付けられることにより、前記拡張部内に追加の現金収納カセットを収納可能とするコンテナ金庫を提供するものである。
【０００８】
ここで、前記装着手段は、前記本体の内壁に溶接により固定された固定バーであって、前記固定手段を受け入れる孔（２８）を有している。
【０００９】
本発明を添付の図面を参照しながら説明するが、これは単に例示としてのものに過ぎない。
【００１０】
【発明の実施の形態】
図１（ａ）の場合には、安全コンテナは、側壁部１２、１４、後部壁部１６および屋根１８を備えた溶接鋼鉄本体１０を含む。上記壁部の内側の周囲には、その下縁部に近いところに、横断面が長方形の三本の鋼鉄バー２２、２４、２６が水平に設置されている。これらのバーはコンテナの壁部に溶接されていて、各バーには、多数の垂直隙間孔部２８が開けられている。
【００１１】
図１（ｂ）について説明すると、取り外すことができるコンテナの床３０は、コンテナ本体１０の側壁部１２、１４および後部壁部１６内にぴったりと収まる寸法の平らな鋼鉄のプレート（３２）を含む。上記のプレート３２は、その上面の三つの縁部の周囲にネジ山付きのブラインド孔部３４を備えていて、上記孔部は装着バー２２、２４、２６の隙間孔部２８にマッチするように、間隔を置いて設けられている。
【００１２】
コンテナの床３０は、装着バー２２、２４、２６の隙間孔部２８を通して、プレート３２のネジ山付き孔部３４まで延びる、図１（ａ）に示すボルト２３のような、固定ボルトによりコンテナ本体１０に固定することができる。
【００１３】
ボルト２３には、コンテナ本体１０の内部からでしかアクセスできないことは明らかであろう。ネジ山付き孔部３４はブラインドであるので、コンテナ本体１０をジャッキで持ち上げても、傾けても容易にアクセスすることはできない。さらに安全にするために、各ネジ山付き孔部は、下から固定ボルト３６にアクセスされるのをさらに防止するために、そのブラインドの縁部とそのボルトとの間に硬質のボール・ベアリング（図示せず）を含むこともできる。
【００１４】
プレート３２の厚さは、壁部１４、１６、１８の下縁部からの装着バー２２、２４、２６の高さｈに等しくなるように選択される。その後、床プレート３２は、壁縁部と同じ高さになるように取り付けられ、ＡＴＭをジャッキで持ち上げたり、傾けたりすることがさらに困難になる。
【００１５】
プレート３２は、固定ボルト（図示せず）により床にコンテナ全体を固定するための固定用孔部３６を備え、コンテナをさらにしっかりと固定し動かすことができないようにしている。
【００１６】
図１（ｃ）について説明すると、安全延長部４０は、側壁部４２、４４、後部壁部４６および床４８を持つ頂部が開いた溶接鋼鉄ボックスからなる。床は取り外すことができる床３０の固定孔部３６と同じ固定孔部５０を備えている。
【００１７】
壁部４２、４４、４６の内側の周囲には、断面が長方形の三本の固定バー５２、５４、５６が水平に設置されている。これらバーは、コンテナ壁部に溶接され、各バーには、図１（ａ）に示す多数の垂直隙間孔部２８が開けられている。
【００１８】
上記バー５２、５４、５６は、図１（ａ）に示す高さｈに等しい距離ｐだけ、壁部４２、４４、４６の上縁部上を突出している。
【００１９】
取り外すことができるコンテナの床３０を、コンテナ１０からボルトと緩めて取り外し、コンテナの中側からだけアクセスすることができるボルト３６により固定されている、安全な延長部４０と交換した場合には、安全レベルを実質的に低下させないで、安全容積を増大させることができる。
【００２０】
図１（ａ）について説明すると、側壁部１２および１４には、ドア（図示せず）のロック機構の一部を支持している、垂直な溶接割戻しバー（図示されているのはバー２７の一本だけ）を備えている。
【００２１】
拡張部４０をコンテナ１０の下に設置した場合には、図２に示すように、ドアも延長しなければならない。
【００２２】
図２（ａ）には、安全コンテナ１０の内側から見た鋼鉄ドア６０が図示されている。上記ドアは、一本の垂直縁部に隣接して、三つの固定手段６６によりプレート６２に取り付けられている、従来のロック・ブレード６４を支持している、垂直鋼鉄プレート６２からなる。
【００２３】
上記ドアの下縁部には、多数のネジ山付きブラインド孔部６８が設けられている。
【００２４】
図２（ｂ）について説明すると、ドア延長部７０は、７６でその上縁部に溶接されている鋼鉄装着プレート７４を持つ垂直鋼鉄延長プレート７２を含む。装着プレート７４には、図２（ａ）のドア６０のネジ山付き孔部６８の位置と整合する、多数の装着孔部７８が設けられている。
【００２５】
ドアに対して拡張部７０が必要な場合には、装着プレート７４が、孔部７８を通して、ネジ山付き孔部６８にボルト（図示せず）により固定される。ドア６０を開けたときだけ、上記ボルトにアクセスすることができることは明らかであろう。さらに、ロック・ブレード６４の動作は影響を受けない。
【００２６】
図１および図２に示す金庫の安全容積を増大させる方法は、従来の金庫、またはＡＴＭの金庫にも適用することができ、第二またはそれ以上の現金カセットを追加することができる。それ故、拡張する容積だけ金庫に十分な余裕さえあれば、ＡＴＭの改善を比較的容易に行うことができる。このような改善は、現場でサービス・エンジニアによって行うことができる。
【００２７】
図３は、本発明の金庫を内蔵するＡＴＭ９０である。上記ＡＴＭは、背面にシャッタ９４を持ち、現金支払機構９６に隣接している現金支払スロット９２を備えている。このスロット９２は、図１の金庫の後部壁部１６に形成されているので、金庫の側壁部１２、４２および延長部を見ることができる。
【００２８】
ＡＴＭ内壁部には、現金１０４、１０６の各スタックを含む上部および下部現金カセット１００、１０２が設置されている。上部カセット１００は、後部壁部１６によって支持されている鋼鉄の装着バー２６の真上に位置しているが、最初このカセット１００は、ＡＴＭ内に置かれたただ一つのカセットであり、図１に参照番号３０で示す取り外すことができコンテナの床の上に設置されている。第二のカセット１０２が必要になったとき、床は取り除かれ、代わりに安全拡張部４０が設置される。この場合、壁部４６上の固定バー５６は装着バー２６に取り付けられる。
【００２９】
動作中、ＡＴＭ９０は、一方のカセット１００、または両方のカセット１００、１０２から現金支払スロット９２に現金を供給することができる。
【００３０】
通常、コンテナ１０および延長部４０は、厚さ１／２インチの強化鋼鉄（引っ張り強度：１０，０００ＰＳＩ）で作られていて、取り外すことができる床３０は、厚さ１／２インチの強化鋼鉄、または１インチの軟鋼で作られている。通常、装着バー２２、２４、２６および固定バー５２、５４、５６は１インチｘ１／２インチの鋼鉄バーである。
【００３１】
本発明の上記厚さの材料作られたＡＴＭ用安全コンテナは、ＵＬ２９１レベル１安全ラベルに対するイリノイ州、ノースブルック所在のアンダーライターズ・ラボラトリーズの試験要件に適合することができる。すなわち、このコンテナは、コンテナ本体と取り外しすことができる床、または安全拡張部との間の接合部に、機械的工具を使用して行う８分間の等価試験に耐えることができる。このコンテナは、関連ヨーロッパＣＥＮ金庫およびＡＴＭ規格にも合格するものと信じる。
【図面の簡単な説明】
【図１】図１（ｂ）に示す取り外すことができる床、または図１（ｃ）に示す安全な延長部を備えた、本発明の安全コンテナである。
【図２】安全コンテナのドアの背面および縁部であり、図２（ｂ）は、上記ドア用の安全延長部の類似の図である。
【図３】本発明の金庫を持つＡＴＭの垂直部分断面図である。
【図１】
0003925994.tif 000002
【図２】
0003925994.tif 000003
【図３】
0003925994.tif 000004